(57)【特許請求の範囲】
【請求項１】
入力される映像信号をＫフレーム分集めて、Ｋフレーム単位で高能率符号化して前記Ｋフレーム分の高能率符号化されたデータを、記録媒体上のＬ個のトラックに分割して記録する映像記録方法であって、
前記Ｋフレーム内の第１フレームはフレーム内のデータのみを用いて高能率符号化し、第ｉフレーム（１＜ｉ≦Ｋ）はフレーム内のみのデータ、又は第ｉフレームと第ｉフレーム以外のフレームとの差分データを用いて高能率符号化するに際し、
前記第１フレームについては、フレーム内のデータをＮ個の圧縮ブロックに分割して高能率符号化し、前記Ｌ個のトラック内の先頭フレーム記録領域にＮ個の記録ブロックを設けて前記Ｎ個の圧縮ブロックのデータ記録領域として対応させ、前記第１フレームの各圧縮ブロックのデータを前記先頭フレーム記録領域の各記録ブロックに記録し、
前記各記録ブロックからあふれたデータは、Ｍ個（０＜Ｍ≦Ｎ）の圧縮ブロック単位ごとにヘッダ情報及び位置情報を付加して第１フレームの残余データとし、
前記第ｉフレームについては、フレーム内のみのデータ、又は前記第ｉフレームと前記第ｉフレーム以外のフレームとの差分データをＹｉ個の圧縮ブロックに分割して高能率符号化し、Ｘｉ個（０＜Ｘｉ≦Ｙｉ）の前記圧縮ブロック単位ごとにヘッダ情報及び位置情報を付加して第ｉフレームの符号データとし、
前記第１フレームの残余データの後に続けて前記第ｉフレームの符号データを連結してデータストリームを作成し、
前記先頭フレーム記録領域の空き記録ブロックに前記データストリームのデータの少なくとも一部を記録し、前記先頭フレーム記録領域の空き記録ブロックが全て満たされた後は、前記先頭フレーム記録領域以外のフレーム記録領域に前記データストリームの残りデータを記録するようにしたことを特徴とする映像記録方法。
【発明の詳細な説明】
【０００１】
【発明の属する技術分野】
本発明は、映像信号を高能率符号化して記録又は伝送するための映像記録方法に関するものである。
【０００２】
【従来の技術】
近年、デジタルビデオ機器等の映像のデジタル信号処理では、限られた伝送レートでの記録／再生を実現するため、高能率符号化の技術開発が盛んに行われている。高能率符号化とは、映像信号の持つ冗長度を利用して、データ量を圧縮する符号化方法であり、例えばフレーム内の空間的相関やフレーム間の時間的相関を利用したデータ圧縮等がある。
【０００３】
フレーム内圧縮は、フレーム内の空間的相関、つまり任意の画素とその近隣の他画素は近い値をもつことが多いという特徴を利用したデータ圧縮方法である。この圧縮方法は、フレーム内を例えば８画素×８画素のブロック（以下、直交変換ブロック）に分割し、直交変換ブロック単位で直交変換を行うことにより圧縮する。直交変換により算出された直交変換係数に対して、量子化され統計的に定められた可変長符号化を行うことにより、圧縮効率を向上させることができる。
【０００４】
またフレーム間圧縮は、フレーム間の時間的相関、つまりフレーム中のある画素ブロックは近隣フレームにおけるほぼ同じ位置にも存在することが多いという特徴を利用したデータ圧縮方法である。この圧縮方法は、そのフレームの画素データと近隣フレームの画素データとの差分データを符号化するのが一般的である。特に動画像を記録する場合は、ある画素ブロックが時間的に動いた位置を近隣のフレームから的確に予測し、予測された画素ブロックとの差分をとることで圧縮効率を上げることができる。
【０００５】
このような方法は一般的に動き補償予測と呼ばれている。動き補償予測方式では、差分データを高能率符号化した符号データと、動き情報を示す動きベクトルとを伝送する。ここで入力される映像信号では、動き補償予測を用いずにフレーム内で符号化される先頭のフレームをＩフレームとし、過去のフレームを参照画像として予測される後続する１つのフレームをＰフレームとし、過去のフレームを参照画像とする予測、又は未来のフレームを参照画像とする予測、又はその両方を用いる予測のうち一番圧縮効率のよい予測を適用するフレームを選択してＢフレームとする。
【０００６】
以上のような高能率符号化を用いて圧縮した符号化データを記録再生する場合、可変長符号化を用いるために、誤りが発生したときには符号化データが復号できなくなり、再生が不可能になるというデメリットが発生する。また、記録位置と画面上の位置とが不定となるため、ＶＴＲ等における高速再生の画質が著しく劣化してしまう。
【０００７】
これらの問題点を解決する事例としては、特開平６−２６８９６４号公報に開示されている技術がある。この事例によると、入力される映像信号を１ＧＯＰであるＫフレーム単位で高能率符号化を行い、記録媒体上のＬ個のトラックに記録する。このとき、Ｌ個のトラックの前半のトラック、即ち先頭フレーム記録領域に対して固定長であるＮ個の記録ブロックを構成し、更にＩフレームに相当するフレームをＮ個に分割したブロックを高能率符号化し、Ｎ個の圧縮ブロックを生成する。この後に、Ｎ個の圧縮ブロックをＮ個の記録ブロックに対応づけて記録する。また、記録ブロックからあふれた圧縮ブロックのデータは、他の記録ブロックの空き領域に詰め込んで記録することにより、可変長符号データであっても記録位置を特定できるようにしている。
【０００８】
そして、残りのトラック、即ち後続フレーム記録領域には、先頭フレーム記録領域に記録できなかった第１フレームの符号化データと、Ｐフレーム又はＢフレームに相当する第２フレーム以降のフレームの差分データ（動きベクトルがある場合は動きベクトルも含む）という順でそれらのデータを記録する。
【０００９】
これにより、伝送路誤りが発生した場合はＮ個の固定長の記録ブロック、即ち先頭フレーム記録領域で可変長符号化がリセットされるため、伝送路誤りの伝搬を抑えることができる。また、Ｎ個の圧縮ブロックのデータが固定長のＮ個の記録ブロックに記録されているので、高速再生時には、記録ブロック単位で独立に映像を順次再生することが可能となる。
【００１０】
【発明が解決しようとする課題】
しかしながら上記した従来の記録方法では、伝送路誤りが発生した場合、Ｎ個の固定長の記録ブロックで可変長符号化がリセットされるが、その誤りのあった記録ブロックに、第１フレームの他の圧縮ブロックからのあふれたデータ（例えば高域データ）があったとき、それ以降の符号連続性が途絶えるので復元不可能となる。この場合、再生画質は可変長符号の低域のみを用いて再生した画質（ブロック歪み等が認識されうる画質）と同等になる。しかもこの影響は画面全域におよび、画質低下を引き起こすという課題があった。
【００１１】
また、Ｎ個の記録ブロック以外の記録領域においては、伝送路誤りが発生した箇所以降の符号データの連続性が途絶え、次のＫフレーム単位における第１フレームが復号されるまで伝搬する。このため、Ｋが大きい値のとき、即ち圧縮フレーム単位が大きいときは、多くのフレームが復元不可能となるので、画質低下を引き起こすという課題があった。
【００１２】
また、第１フレームに後続する第ｉフレーム（１＜ｉ≦Ｋ）のデータは特定のＮ個の記録ブロック以外の領域に記録されるようにしているため、入力画像によっては、第１フレームの符号データ量がＮ個の記録ブロックの記録容量より少なくなることがある。この場合、記録ブロックが空き領域となってしまうことがあり、実質的に圧縮効率が低下してしまうという課題があった。
【００１３】
本発明は、このような従来の問題点に鑑みてなされたものであって、伝送路誤りが発生した場合にも、第１フレームのデータに関しては、その記録ブロック内で誤り伝搬を抑えることができ、かつ、空き領域に記録されたデータにも誤りがある場合には、付加されたヘッダ情報と位置情報によりＭ個の圧縮ブロックのみに伝搬を抑えることができ、画面全体の画質低下を防ぐことができる映像記録方法を実現することを目的とする。
【００１４】
【課題を解決するための手段】
本願の請求項１の発明は、入力される映像信号をＫフレーム分集めて、Ｋフレーム単位で高能率符号化して前記Ｋフレーム分の高能率符号化されたデータを、記録媒体上のＬ個のトラックに分割して記録する映像記録方法であって、前記Ｋフレーム内の第１フレームはフレーム内のデータのみを用いて高能率符号化し、第ｉフレーム（１＜ｉ≦Ｋ）はフレーム内のみのデータ、又は第ｉフレームと第ｉフレーム以外のフレームとの差分データを用いて高能率符号化するに際し、前記第１フレームについては、フレーム内のデータをＮ個の圧縮ブロックに分割して高能率符号化し、前記Ｌ個のトラック内の先頭フレーム記録領域にＮ個の記録ブロックを設けて前記Ｎ個の圧縮ブロックのデータ記録領域として対応させ、前記第１フレームの各圧縮ブロックのデータを前記先頭フレーム記録領域の各記録ブロックに記録し、前記各記録ブロックからあふれたデータは、Ｍ個（０＜Ｍ≦Ｎ）の圧縮ブロック単位ごとにヘッダ情報及び位置情報を付加して第１フレームの残余データとし、前記第ｉフレームについては、フレーム内のみのデータ、又は前記第ｉフレームと前記第ｉフレーム以外のフレームとの差分データをＹｉ個の圧縮ブロックに分割して高能率符号化し、Ｘｉ個（０＜Ｘｉ≦Ｙｉ）の前記圧縮ブロック単位ごとにヘッダ情報及び位置情報を付加して第ｉフレームの符号データとし、前記第１フレームの残余データの後に続けて前記第ｉフレームの符号データを連結してデータストリームを作成し、前記先頭フレーム記録領域の空き記録ブロックに前記データストリームのデータの少なくとも一部を記録し、前記先頭フレーム記録領域の空き記録ブロックが全て満たされた後は、前記先頭フレーム記録領域以外のフレーム記録領域に前記データストリームの残りデータを記録するようにしたことを特徴とするものである。
【００１５】
【発明の実施の形態】
本発明の実施の形態における映像記録方法について図面を用いて説明する。図１は本発明の映像記録方法を実現するための映像記録装置の構成図である。この映像記録装置は、映像入力端子１０、差分器１１、高能率符号化手段１２、メモリ１３、記録ブロック詰め込み手段１４、データ連結手段１５、記録手段１６、記録媒体１７を含んで構成される。
【００１６】
このような構成の映像記録装置の動作について説明する。以下においては５２５／６０方式で伝送され、１フレームの輝度信号が水平７２０画素、垂直４８０ラインで構成され、このような映像信号をＧＯＰの単位であるＫフレーム毎に独立に高能率符号化して記録する場合について説明する。各フレームは、水平８画素、垂直８ラインの６４画素を直交変換ブロックとして、複数の直交変換ブロックで構成される。即ち１フレーム当たりの直交変換ブロック数は５４００個になる。
【００１７】
また２つの色差信号、即ちＲ−Ｙ信号とＢ−Ｙ信号では、隣接する４個の輝度信号の直交変換ブロックと同範囲に含まれる画素で各々１個の直交変換ブロックが構成される。また、同範囲にある４個の輝度信号の直交変換ブロックとＲ−Ｙ信号、Ｂ−Ｙ信号の各１個の直交変換ブロックとを含む合計６個の直交変換ブロックは１マクロブロックと呼ばれる。従って１フレームは１３５０マクロブロックで構成されることになる。本実施の形態では、１個のマクロブロックを１個の圧縮ブロックに対応させる。従って、Ｉフレームに対してはＮ＝１３５０個の圧縮ブロックを高能率符号化するとして説明する。
【００１８】
図１の高能率符号化手段１２は、まず第１フレームをＩフレームとしてそのフレーム内の画素データのみを用いて高能率符号化する。次に高能率符号化手段１２は第２フレーム以降ではＰフレーム又はＢフレームとして動き補償予測を行い、そのフレーム内の画素データ、又はそのフレームと他のフレームとの差分データのうち、圧縮効率の良い方を高能率符号化する。メモリ１３は差分データを作るため、他フレームに対して高能率復号化された画像データを保持するものである。差分器１１は映像入力端子１０から与えられた画像データとメモリ１３に保持された画像データとを用いて差分データを生成する。ここで、動き補償予測は多様な方法が考えられるが、その圧縮ブロックに近い値を持つ他の参照画像の画素ブロックを探索する機能を有するものであれば、どのような構成を用いても実現できる。また、第２フレーム以降のＰフレーム、Ｂフレームの選び方も任意に設定できる。
【００１９】
さて、第１フレームは１３５０個の圧縮ブロックに分割されて高能率符号化される。図１の記録ブロック詰め込み手段１４は、まず第１に１３５０個の圧縮ブロックの符号データを記録媒体１７上のＬ個のトラック内の特定の位置、即ち先頭フレーム記録領域に設けられた１３５０個の記録ブロックに対応させて詰め込む。ここで、各圧縮ブロックの符号データは可変長符号化されているため、そのデータ量は対応する記録ブロックの記録容量より大きかったり小さかったりする。データ量が記録ブロックの記録容量より大きかった場合は、対応する記録ブロックからあふれることとなる。この場合はあふれたデータ（以下、残余データと呼ぶ）はデータ連結手段１５に出力される。またデータ量が記録ブロックの記録容量より小さい場合は、全てのデータが当該記録ブロックに詰め込まれ、この記録ブロックには空き領域ができることになる。
【００２０】
次に、高能率符号化手段１２は、第２フレーム以降のフレーム（ｉフレーム）については、先述したようにそのフレーム内の画素データ、又は他フレームとの差分データを高能率符号化する。また各フレームは先述したように１３５０個のマクロブロックに分割して高能率符号化するようにし、圧縮ブロック数Ｙｉを１３５０個として説明する。さて、入力された１３５０個の圧縮ブロックは高能率符号化され、それぞれ可変長符号データとなり、データ連結手段１５へ出力される。
【００２１】
データ連結手段１５は、第１フレームの残余データと第２フレーム以降の高能率符号化された符号データとを入力し、まず第１に第１フレームの残余データに対して例えば３マクロブロック単位（Ｍ＝３）でヘッダ情報及び位置情報を付加する。第２にデータ連結手段１５は、第２フレーム以降の符号データに対して例えば５マクロブロック単位（Ｘｉ＝５）でヘッダ情報及び位置情報を付加したデータを、先述の第１フレームの残余データ以降に続けて連結する。
【００２２】
尚ヘッダ情報とは、データ列に組み込まれ、データの区切り点を示すコードである。位置情報とは、その区切り点が何番目のものであるかを示す情報である。これらの情報によりこの区間に記録されたデータが画面上のどの位置に対応するものであるかが識別できる。このように連結されたデータストリームが記録ブロック詰め込み手段１４に与えられる。
【００２３】
記録ブロック詰め込み手段１４は、第１フレームの符号データを詰め込んだ後に空き領域が残っている記録ブロックに対して、連結されたデータストリームを詰め込んでいく。そして記録ブロックの全ての空き領域にデータストリームを詰め込んだとき、データストリームの入力を止める。このようにして記録ブロックに詰め込まれたデータは記録手段１６に与えられ、記録データに変換される。このような記録データは記録媒体１７のうちのＬトラック中の先頭フレーム記録領域内の各記録ブロックに記録される。
【００２４】
次に記録ブロック詰め込み手段１４において記録ブロックの全ての空き領域にデータストリームが詰め込まれた後は、データ連結手段１５にまだ残っているデータストリームは記録手段１６に直接出力され、記録媒体１７のうちのＬトラック中の後続フレーム記録領域に順次記録される。
【００２５】
次に、上記のような動作によって記録された記録媒体１７上の記録パターンを図２及び図３に示す。図２はＫ＝４の場合について示したもので、第１フレームの符号データ量が先頭フレーム記録領域Ｌ１の記録容量より大きかった場合を示したものである。ここで、各記録ブロックの領域は、画面上の圧縮ブロックの位置に対応させている。
【００２６】
図２において、まずＬ個のトラック内の先頭フレーム記録領域Ｌ１の各記録ブロックに第１フレームの符号データＩが詰め込まれ、一旦各記録ブロックからあふれた第１フレームの残余データがデータ連結手段１５によってヘッダ情報及び位置情報を付加され、データストリームＩ’として各空き記録ブロックに詰め込まれる。そして、各記録ブロックに詰めきれずあふれた残余データＩ”、第２フレームの符号データＤ２、第３フレームの符号データＤ３、第４フレームの符号データＤ４が後続フレーム記録領域Ｌ２に記録される。
【００２７】
図３はＫ＝４として、第１フレームの符号データ量が先頭フレーム記録領域Ｌ１の記録容量より小さかった場合を示した図である。まず、Ｌ個のトラック内の先頭フレーム記録領Ｌ１の各記録ブロックに第１フレームの符号データＩが詰め込まれる。そして、一旦各記録ブロックからあふれた第１フレームの残余データには、データ連結手段１５によってヘッダ情報及び位置情報が付加され、データストリームＩ’として再び先頭フレーム記録領域Ｌ１に詰め込まれる。更に先頭フレーム記録領域Ｌ１の特定の記録ブロックに空き領域があったため、続いて第２フレームの符号データＤ２の一部まで記録されている状態を示している。そして後続フレーム記録領域Ｌ２に残りの第２フレームの符号データＤ２及び第３フレームの符号データＤ３、第４フレームの符号データＤ４が夫々記録される。
【００２８】
次に記録ブロック詰め込み手段１４の動作を更に詳細に説明する。図４は記録ブロックへの詰め込み方法の一例を示す説明図である。記録ブロックは、圧縮ブロックであるマクロブロックを構成する４個の輝度信号（Ｙ０〜Ｙ３）と、２個の色差信号（Ｒ−Ｙ、Ｂ−Ｙ）とに領域分けされており、対応する各直交変換ブロックの復号時に必要とされる補助データ及び低域を示す符号データから高域を示す符号データへと順に詰め込まれていく。一般に、視覚上低域を表す成分の歪は検知され易いが、高域成分の歪は検知されにくい。従って、上記のような順序で詰め込むことによって、各直交変換ブロックにおいて、重要度の低い高域を示す符号データを復元できない場合でも、画質劣化をできるだけ目立たなくするようにできる。
【００２９】
図４（ａ）は、このような詰め込み方法によって、第１フレームの圧縮ブロックの符号データが詰め込まれるとき、夫々のデータ量が各記録ブロックの記録容量より大きいため、詰め込みきれずあふれた状態を模式的に示したものである。ここではＹ０，Ｙ２，Ｙ３の各直交変換ブロックにおいて斜線で塗られた部分が残余データである。これらの残余データが記録ブロック詰め込み手段１４からデータ連結手段１５に出力される。
【００３０】
次に図４（ｂ）は、第１フレームの圧縮ブロックの符号データが詰め込まれ、夫々の圧縮ブロックの符号データが各記録ブロックの記録容量よりも小さかったため、空き領域ができたことを模式的に示したものである。ここでは、Ｙ０，Ｙ３の各直交変換ブロックにおいて斜線で塗られた部分が空き領域であることを示す。従って、この空き領域にデータ連結手段１５からのデータストリームが順次詰め込まれる。
【００３１】
なお、圧縮ブロック内のある直交変換ブロックであふれたデータが存在する場合で、且つ同一圧縮ブロック内にある他の直交変換ブロックに空き領域がある場合は、空き領域にまずあふれたデータを詰め込むようにしても良い。この場合は、同一圧縮ブロック内での詰め込みが終了した後、さらに空き領域がある記録ブロックのその空き領域にデータ連結手段１５からのデータストリームを順次詰め込むようにする。
【００３２】
また、この空き領域に詰め込まれるデータストリームは、第１フレームの残余データ及び第１フレームのデータ量が全記録ブロックの記録容量よりも小さい場合には、第２フレーム以降の符号データも順に詰め込むことができる。
【００３３】
次に、データ連結手段１５によって生成されるデータストリームの詳細について、図５を用いて再度説明する。図５はデータストリームのデータ構成を示す説明図である。本図の第１列目に示すデータストリームは、記録ブロック詰め込み手段１４での先述の動作により第１フレームの符号データが当該記録ブロックに詰め込まれたときにあふれたデータを示す。この残余データにはヘッダ情報及び位置情報が付加されている。
【００３４】
先述のようにフレーム全体で１３５０個のマクロブロックが符号化された場合においては、Ｍ＝３個のマクロブロックの残余データを１つの区切り単位としてヘッダ情報及び位置情報が付加される。ヘッダ情報に続いて位置情報が付加されるが、位置情報はこの区切り単位の番号を示すものである。この場合、区切り単位は４５０個となるので、位置情報は４５０通りを表すことのできる情報となる。
【００３５】
また、マクロブロックによっては残余データが発生しない場合もあるが、そのときはそのマクロブロックについては何も記録しない。これによって、図５の第１列目のデータストリームの２番目の位置にある区切り単位では、その中に含まれるべき第２マクロブロックの残余データがなかった状態が示されている。また、区切り単位を構成する３マクロブロックの全てにおいて残余データを発生しない場合は、ヘッダ情報と位置情報のみで残余データが全くないということもあり得る。なお、このような場合はヘッダ情報と位置情報とを付加しないように構成することもできる（スキップする）。
【００３６】
次に図５の第２列目に示すデータストリームは、第１列目の第１フレームの残余データに続いて連結されるべき第２フレームの符号データである。ここでは、１フレーム全体で１３５０個のマクロブロックが符号化された場合において、Ｘｉ＝５のマクロブロックの符号データを１つの区切り単位として、ヘッダ情報及び位置情報が付加されている。ヘッダ情報に続いて位置情報が付加されるが、位置情報はこの区切り単位の番号を示すものである。この場合、区切り単位は２７０個となるので、位置情報も２７０通りを表す情報となる。そしてこの位置情報の後に５個のマクロブロックの符号データが出力される。第３フレーム以降も第２フレームと同様の構成である。但し、区切り単位を構成するマクロブロック数Ｘｉは必ずしも第２フレームや他のフレームと同一にする必要はなく、予め任意に取り決めることができる。例えばＸｉ＝１５などと決めても良い。
【００３７】
尚、データ連結手段１５の機能として、例えばメモリを用いて、第１フレームの残余データ、第２フレームの符号データ、第３フレームの符号データ、以下第ｉフレームの符号データという順に格納していくものとする。ただし、格納順次を上記の順序に限定する必要はない。
【００３８】
なお、本実施の形態においてＫ＝４としたが、これに限るものでなく、符号化するフレーム単位は任意に設定できる。
【００３９】
なお、本実施の形態においてＮ＝１３５０としたが、これに限るものでなく、映像信号の情報量や符号化方法などによっては任意に設定できる。
【００４０】
なお、本実施の形態において、１個のマクロブロックを１個の記録ブロックに対応させた動作説明をしたが、圧縮率を高くして複数マクロブロックを１個の記録ブロックに対応させることも可能である。
【００４１】
なお、本実施の形態においてＭ＝３としたが、これに限るものでなく、（０＜Ｍ≦Ｎ）の条件を満たすものであれば任意に設定できる。
【００４２】
なお、本実施の形態においてＹｉ＝１３５０としたが、これに限るものでなく、映像信号の情報量や符号化方法などによっては任意に設定できる。
【００４３】
なお、本実施の形態においてＸｉ＝５としたが、これに限るものでなく、（０＜Ｘｉ≦Ｙｉ）の条件を満たすものであれば任意に設定できる。
【００４４】
なお、本実施の形態において、データ連結手段１５によって生成されるデータストリームについて、付加する位置情報は区切り単位の順番を示すものとしたが、画面の位置と区切り単位の対応ができる情報であれば、どのような形式でも構わない。更にフレーム番号を識別できる情報を含むこともできる。又このようなフレームの識別情報をヘッダ情報に含むこともできる。なお、データ連結手段１５によって生成されるデータストリームにおいて、第１フレームの残余データが全て記録ブロックに記録される場合に、記録ブロックを全て埋め尽くすようにダミーデータを第１フレームの残余データの後に挿入することもできる。また、これと同様な記録を記録手段１６にて行うこともできる。ただし、この場合は実施の形態で説明した方法よりも圧縮効率が低下する。
【００４５】
なお、本実施の形態において、特定の映像信号に対する映像記録方法を示したが、本発明はこれ以外の任意の映像信号に適用可能である。また説明では輝度信号と色差信号で構成された映像信号について説明しているが、コンポジット信号、ＲＧＢ信号、その他の画像信号や音声信号にも適用可能である。
【００４６】
なお、記録媒体は磁気テープやディスク記録媒体、半導体記録媒体など、いかなる媒体にも適用可能である。
【００４７】
なお、本実施の形態において、本発明を実現する一例として図１のような構成を示したが、それ以外にも様々な構成が可能であり、計算機上でソフトウエアで実現することも可能である。
【００４８】
【発明の効果】
以上のように本発明によれば、第１フレームのＮ個の圧縮ブロックの符号データは、画面位置に対応した記録媒体上の特定のＮ個の記録ブロックに記録されるため、記録ブロック単位での再生が可能となり、高速再生時に画質を向上させ得るという効果が得られる。
【００４９】
また、第１フレームのＮ個の圧縮ブロックの符号データは、画面位置に対応した記録媒体上の特定のＮ個の記録ブロックに記録されるため、伝送路における誤りが発生した場合も、誤りが発生した記録ブロック内で誤りがリセットされることに加えて、第１フレームの残余データ（高域を示すデータ）も区切り単位で誤り伝搬を抑えることができるという効果が得られる。
【００５０】
これは特に記録ブロックからあふれた情報量の多い圧縮ブロックの残余データをフレーム全体に回り込ませて圧縮効率を高めるような符号化を行う場合には、この誤りの発生によって画面全体に回り込んだ高域データの連続性が途絶え、画面全体で画質低下してしまうことを防ぐことができるので、非常に大きな利用効果をもたらす。
【００５１】
さらに、記録領域に隙間なく符号データを記録できるように構成されているので、Ｋフレームに割り当てたＬ個のトラックに記録するよう符号化されたデータのうち、第１フレームの符号データがＮ個の記録ブロックの記録容量よりも小さく設定できることが可能となる。このため第２フレーム以降でシーンチェンジが起こり、差分データが大きくなった場合でも、そのフレームに対して十分な符号量を割り当てることが可能となり、再生画質の向上を実現することができる。
【図面の簡単な説明】
【図１】本発明の実施の形態における映像記録方法を実現するための映像記録装置の構成図である。
【図２】本実施の形態における記録媒体上の記録パターン（その１）を示す概念図である。
【図３】本実施の形態における記録媒体上の記録パターン（その２）を示す概念図である。
【図４】本実施の形態における記録ブロックの一例を示す概念図である。
【図５】本実施の形態におけるデータストリームの構成を示す概念図である。
【符号の説明】
１０  映像入力端子
１１  差分器
１２  高能率符号化手段
１３  メモリ
１４  記録ブロック詰め込み手段
１５  データ連結手段
１６  記録手段
１７  記録媒体
【図１】
0003741964.tif 000002
【図２】
0003741964.tif 000003
【図３】
0003741964.tif 000004
【図４】
0003741964.tif 000005
【図５】
0003741964.tif 000006